(57)【要約】【課題】  鍵機構が直接に接続部材を操作することなく小さな力で施錠および解錠操作が可能で、防犯性能も高く、操作が円滑な遠隔操作錠装置を提供する。【解決手段】  操作部１と施錠部２とを接続部材３を介して接続し、前記操作部１における操作に応じて接続部材３を介して施錠部２における閂（１８）を進出させて施錠する遠隔操作錠装置であって、前記施錠状態の保持および解錠が前記操作部１に設けた鍵機構８によりなされるように構成された遠隔操作錠装置において、前記接続部材３の操作が少なくとも操作部１内ではほぼ直線的になされるように構成されたことにより、鍵機構８が直接に接続部材３を操作することなく小さな力で施錠および解錠操作が可能で、施錠のための接続部材３の操作も屈曲等のストレスを発生させることなく円滑に行えるので、長期間の使用にも接続部材３が傷むことがない。【選択図】  図１
2007009615.tif 000002
【特許請求の範囲】
【請求項１】
操作部と施錠部とを接続部材を介して接続し、前記操作部における操作に応じて接続部材を介して施錠部における閂を進出させて施錠する遠隔操作錠装置であって、前記施錠状態の保持および解錠が前記操作部に設けた鍵機構によりなされるように構成された遠隔操作錠装置において、前記接続部材の操作が少なくとも操作部内ではほぼ直線的になされるように構成されたことを特徴とする遠隔操作錠装置。
【請求項２】
前記操作部において、前記接続部材端部と係合するスライダが、スライダ用スプリングの復元力により付勢された解錠位置と、前記鍵機構により後退解錠可能でスライドプレート用スプリングの復元力により付勢されるスライドプレートにより保持された施錠位置とに保持されることを特徴とする請求項１に記載の遠隔操作錠装置。
【請求項３】
前記スライドプレートがスライダに対して横方向から係脱するように構成されたことを特徴とする請求項２に記載の遠隔操作錠装置。
【請求項４】
前記スライドプレートがスライダに対して略直交して係脱するように構成されたことを特徴とする請求項３に記載の遠隔操作錠装置。
【請求項５】
前記スライダにおける解錠完了位置近傍の側面に、前記スライドプレートの付勢力によりスライダを解錠完了方向に強制移動させる傾斜面を形成したことを特徴とする請求項３または４に記載の遠隔操作錠装置。
【請求項６】
前記接続部材としてボーデンワイヤを使用したことを特徴とする請求項１から５のいずれかに記載の遠隔操作錠装置。
【発明の詳細な説明】
【技術分野】
【０００１】
本発明は、操作部と施錠部とを接続部材を介して接続し、前記操作部における操作に応じて接続部材を介して施錠部における閂を進出させて施錠する遠隔操作錠装置であって、前記施錠状態の保持および解錠が前記操作部に設けた鍵機構によりなされるように構成された自転車用の遠隔操作錠装置にに関する。
【背景技術】
【０００２】
自転車の駐輪中に自転車の盗難を防止するものとして、様々な錠装置が提案され使用されている（下記特許文献参照）。                                                    
【特許文献１】特開平７−２２４５６６号公報（図１参照）
【特許文献２】特許第２８８１１４１号公報（図３参照）
【特許文献３】実開昭６３−１８４９６５号公報（図２参照）
【特許文献４】特開平７−８１６４５号公報（図２参照）
【特許文献５】実開平７−６４４２号公報（図１参照）
【特許文献６】特開２０００−１４５２３９号公報
【特許文献７】実開平４−１０６７８号公報（第１図参照）
【特許文献８】実開平４−３７０８７号公報
【特許文献９】特開平６−９９８６９号公報（図７参照）
【発明の開示】
【発明が解決しようとする課題】
【０００３】
これらの従来例に開示されたものは、車輪近傍に位置する施錠部から離れたハンドル近傍に配設された操作部において、前記施錠部の錠の施錠および解錠を行う遠隔操作錠装置に関するものである。前記特許文献１に開示されたものは、操作部のキーを回動することでシリンダー周りに錠操作用のワイヤーを巻き取るものである。前記特許文献２、３、４に開示されたものは、操作部のキーを回動することによってキー操作と連動する腕の先端に接続したワイヤーの位置を移動させることで錠操作用のワイヤーを牽引するものである。前記特許文献５、６、７に開示されたものは、操作部においても箱錠の構造を採用し、ワイヤーやチェーン等により施錠部の箱錠を連動させるものである。前記特許文献８に開示されたものは、操作部のキーを回動することによってクランクのロッドを動かし、ワイヤーが接続されているロッドを上下動させるものである。また、前記特許文献９に開示されたものは、操作部および施錠部のいずれにも箱錠を用い、これらの間の連動をワイヤーにより行っている。
【０００４】
これらの従来例のものにあって、前記特許文献１〜４に開示されたものでは、操作部におけるキーの回動操作で施錠部の錠装置を直接に操作するために、大きな力が必要であったり、キー操作と連動する腕の先端に接続したワイヤーを操作するためにやはり大きな操作力を必要とした。また、前記特許文献１、２では、施錠の状態から解錠の状態にするために、操作する者がキーの回動量を調整して所定の位置まで動かす必要があった。さらに前記特許文献５、６、７では、操作部に箱錠を採用しているが、これらの箱錠は比較的簡単な錠構造となっており、防犯性能に劣っていた。また、前記特許文献８では、操作部のキーを回動することによってクランクのロッドを動かし、ワイヤーが接続されているロッドを上下動させるため、これも操作に力を要した。
【０００５】
図１１に示したものは、前記特許文献９に開示されたものであるが、操作部での操作レバー４７を押し下げると、プッシュプルケーブルＣを牽引して、回動アーム３６を反時計方向に回動させ、回動カム板３２を時計方向に回動させて係止爪３４をしてロック杆２８を施錠位置に進出させるものである。解錠は、キーＤを差し込んで押し回して、回動錠板５９を枢支ピン６０を中心にして反時計方向に回動させ、ばね受けピン４８の上面から離脱させると、操作レバー４７がリターンばね４９により、解錠位置（上方）に復帰する。このような構成により、操作レバーの僅かな力により施錠および解錠操作が可能となったものの、操作レバーの操作によって、プッシュプルケーブルＣがくの字状に屈曲する挙動を示すため、長期間の使用によって、操作部ＢにケーブルＣを接続する口金５３によりケーブルＣが擦り切れる虞れがある他、施錠および解錠操作に円滑さを欠いていた。
【０００６】
そこで本発明は、前記従来の遠隔操作錠装置の諸課題を解決して、キーシリンダ等の鍵機構が直接に操作ワイヤ等の接続部材を操作することなく小さな力で施錠および解錠操作が可能で、防犯性能も高く、施錠および解錠操作が円滑な遠隔操作錠装置を提供することを目的とする。
【課題を解決するための手段】
【０００７】
このため本発明は、操作部と施錠部とを接続部材を介して接続し、前記操作部における操作に応じて接続部材を介して施錠部における閂を進出させて施錠する遠隔操作錠装置であって、前記施錠状態の保持および解錠が前記操作部に設けた鍵機構によりなされるように構成された遠隔操作錠装置において、前記接続部材の操作が少なくとも操作部内ではほぼ直線的になされるように構成されたことを特徴とする。また本発明は、前記操作部において、前記接続部材端部と係合するスライダが、スライダ用スプリングの復元力により付勢された解錠位置と、前記鍵機構により後退解錠可能でスライドプレート用スプリングの復元力により付勢されるスライドプレートにより保持された施錠位置とに保持されることを特徴とする。また本発明は、前記スライドプレートがスライダに対して横方向から係脱するように構成されたことを特徴とする。また本発明は、前記スライドプレートがスライダに対して略直交して係脱するように構成されたことを特徴とする。また本発明は、前記スライダにおける解錠完了位置近傍の側面に、前記スライドプレートの付勢力によりスライダを解錠完了方向に強制移動させる傾斜面を形成したことを特徴とする。また本発明は、前記接続部材としてボーデンワイヤを使用したことを特徴とするもので、これらを課題解決のための手段とする。
【発明の効果】
【０００８】
本発明によれば、操作部と施錠部とを接続部材を介して接続し、前記操作部における操作に応じて接続部材を介して施錠部における閂を進出させて施錠する遠隔操作錠装置であって、前記施錠状態の保持および解錠が前記操作部に設けた鍵機構によりなされるように構成された遠隔操作錠装置において、前記接続部材の操作が少なくとも操作部内ではほぼ直線的になされるように構成されたことにより、鍵機構が直接に接続部材を操作することなく小さな力で施錠および解錠操作が可能で、施錠のための接続部材の操作も屈曲等のストレスを発生させることなく円滑に行えるので、長期間の使用にも接続部材が傷むことがない。
【０００９】
また、前記操作部において、前記接続部材端部と係合するスライダが、スライダ用スプリングの復元力により付勢された解錠位置と、前記鍵機構により後退解錠可能でスライドプレート用スプリングの復元力により付勢されるスライドプレートにより保持された施錠位置とに保持される場合は、接続部材端部に係合されたスライダが、スライドプレートを介して小さな力で施錠位置に保持され、鍵機構はスライドプレートを後退させる僅かな力の解錠操作にのみ関与すれば足りるので、精密で防犯性能に優れるディンプル錠の採用が可能になる。さらに、前記スライドプレートがスライダに対して横方向から係脱するように構成された場合は、スライドプレートが、スライダが解錠位置に戻ろうとする力の影響を受けにくくできるので、スライダの施錠位置の保持機能が高くなる。
【００１０】
さらにまた、前記スライドプレートがスライダに対して略直交して係脱するように構成された場合は、スライドプレートが、スライダが解錠位置に戻ろうとする力の影響を殆ど受けなくすることができるので、スライダの施錠位置の保持機能がさらに高くなる。また、前記スライダにおける解錠完了位置近傍の側面に、前記スライドプレートの付勢力によりスライダを解錠完了方向に強制移動させる傾斜面を形成した場合は、スライダ用スプリングの復元力がスライダの解錠完了位置近傍では僅かになっても、スライドプレートの付勢力によりスライダを解錠完了方向に強制移動することが可能となるので、スライダを復元するスライダ用スプリングのばね力を大きくする必要がなく、スライダの施錠方向への牽引力も小さくて済み、軽快な操作が可能となる上、施錠および解錠位置への各部材の衝撃も小さくて済み、損傷を与えることがない。
【００１１】
さらに、前記接続部材としてボーデンワイヤを使用した場合は、少なくとも操作部内でのほぼ直線的な押し引きによる円滑な施錠および解錠操作に加えて、それ以外の部分に曲線部分があっても、アウタ内でのインナの強制的で確実な押し引きにより、操作部材と施錠部との間を接続した接続部材としての施錠および解錠操作機能が充分に発揮される。
【発明を実施するための最良の形態】
【００１２】
以下本発明の実施例を図面に基づいて説明する。図１〜図１０は本発明の遠隔操作錠装置の１つの実施例を示すもので、図１は本発明の遠隔操作錠装置を取り付けた自転車の前輪後部斜視図、図２はその前部斜視図、図３は操作部の分解斜視図、図４は施錠および解錠状態の操作部の外観図、図５はその一部切除外観図、図６は施錠時の操作部の断面図、図７は解錠途中の操作部の断面図、図８は解錠時の操作部の断面図、図９は解錠時の施錠部の断面図、図１０は施錠時の施錠部の断面図である。本発明の基本的な構成は、図１に示すように、操作部１と施錠部２とを接続部材３を介して接続し、前記操作部１における操作に応じて接続部材３を介して施錠部２における閂（１８）を進出させて施錠する遠隔操作錠装置であって、前記施錠状態の保持および解錠が前記操作部１に設けた鍵機構８によりなされるように構成された遠隔操作錠装置において、前記接続部材３の操作が少なくとも操作部１内ではほぼ直線的になされるように構成されたことを特徴とする。
【００１３】
遠隔操作錠装置を取り付けた自転車の前輪後部斜視図である図１に示されるように、本発明の遠隔操作錠装置は、ハンドル近傍のハンドルポストに設置された荷籠ブラケット６等に配設された操作部１と、該操作部１に接続部材としてのボーデンワイヤ３等により連結され前ホーク７に配設された施錠部２とから構成される。操作部１に設置された操作摘み４の牽引操作でボーデンワイヤ３を牽引して前記施錠部２における閂を施錠位置に進出させて施錠を行い、鍵機構を構成するキーシリンダ８に差し込まれたキー５の回動によって、後述のスライドプレートによりボーンワイヤ３を施錠位置から開放して解錠を行う。図２は図１の前部斜視図で操作部１の荷籠ブラケット６等への配設形態および施錠部２の閂１８の配設形態等が解る。なお、本発明における接続部材および鍵機構としては、それぞれ、ボーデンワイヤおよびキーシリンダを例示して説明するが、これらに限定されるものではなく、ボーデンワイヤに代えて、線材、チェーン、ロッド等の適宜のものが採用され得るし、キーシリンダに代えて、廉価な鍵構造の錠等も採用され得る。また、実施例の接続部材の牽引操作により施錠するものに代えて、接続部材の押動操作により施錠するように構成することも本発明の範疇内にあることは言うまでもない。
【００１４】
図３は操作部の分解斜視図である。操作部１は、各操作機構が収容されるケーシング１Ａと、荷籠ブラケット６等に取り付けられる裏板１Ｂとから構成される。ケーシング１Ａ内には以下のような各操作機構が収容される。ボーデンワイヤ３のインナ３Ａの端部が係合されたスライダ１２がスライダ用スプリング１３の復元力により解錠方向（下方）に付勢されて収容される。前記スライダ１２にはケーシング１Ａの表面側に操作摘み４が一体に固定されている。該操作摘み４の上下スライドによって、スライダ１２を介してボーデンワイヤ３のインナ３Ａが牽引および開放される。ボーデンワイヤ３のインナ３Ａすなわちスライダ１２と所定間隔を置いてキーシリンダ８が配設される。
【００１５】
キーシリンダ８は、ケーシング１Ａの表面側から差し込まれたキー５により解錠方向の操作がなされる。キーシリンダ８の軸端部に形成された非円形突起８Ａに、円板状のリンクプレート９の非円形孔９Ａが嵌合係止される。該リンクプレート９の端面から突出形成されたピン９Ｂがスライドプレート１０における下部の受溝１０Ｂに嵌入される。該スライドプレート１０は、スプリング収納溝１０Ｃに収納されたスライドプレート用スプリング１１よって前記スライダ１２の方向に付勢されている。したがって、前記操作摘み４を上方に牽引操作してスライダ１２が上方の施錠位置に到達した場合に、スライドプレート１０がその下端に侵入してその位置を保持し、キー５によるキーシリンダ８の解錠方向の回動により、スライドプレート用スプリング１１の復元力に抗してスライドプレート１０が後退した場合には、スライダ１２すなわちボーデンワイヤのインナ３Ａがスライダ用スプリング１３の復元力により解錠方向に移動して牽引が開放される。
【００１６】
図４は施錠および解錠状態の操作部の外観図である。図４（Ａ）は施錠状態にある場合を示す。キーシリンダ８に所定間隔を置いて設けられた操作摘み４は前記図３のスライダ１２に一体に固定されている。したがって、操作摘み４の動きはボーデンワイヤ３のインナ３Ａと一体である。操作摘み４の基部は、ケーシング１Ａの表面にボーデンワイヤ３の牽引方向と一直線状のガイド部１Ｃ内を牽引およびその開放方向にスライド可能に設置される。操作摘み４が上方へ牽引された図４（Ａ）の施錠状態のとき、図６のようにスライダ１２の下端部にスライドプレート１０の先端が侵入係止される。この状態を操作摘み４の一部切除図で示したものが図５（Ａ）の外観図である。操作摘み４は、内軸部４Ｂに対して外筒部４Ａが摘み部スプリング２０により下方へ付勢されて構成されており、外筒部４Ａの下部に形成された保持突起４Ｃはガイド部１Ｃの上面に載っている。
【００１７】
図４（Ｂ）は解錠状態にある操作部１を示す。キー５の解錠方向の回動によって、前述のようにスライドレート１０が後退すると、図７のようにスライダ１２がスライダ用スプリング１３により押し下げられ解錠方向に向かう。図８のような解錠状態に達したものが図４（Ｂ）の状態である。図４（Ｂ）および操作摘み４の一部切除図で示した図５（Ｂ）のいずれにあっても、内軸部４Ｂに対して外筒部４Ａが摘み部スプリング２０により下方へ付勢され、外筒部４Ａの下部に形成された保持突起４Ｃはガイド部１Ｃの解錠保持溝１Ｄ内に落下保持されて、解錠位置が有効に保持される。これにより、走行中等に妄りに閂が施錠位置に進出することを防止できる。
【００１８】
図６は施錠時の操作部の断面図である。前述した図５（Ｂ）の解錠状態から操作摘み４の外筒部４Ａを摘み上げることで、保持突起４Ｃをガイド部１Ｃの解錠保持溝１Ｄから離脱させると、操作摘み４をガイド部１Ｃ上にてスライドさせて図５（Ａ）の施錠位置に移動させることができる。この状態が図６である。前記操作摘み４と一体に固定されたスライダ１２がスライダ用スプリング１３の復元力に抗して上端の施錠位置に達すると、該スライダ１２の下端部に横方向からスライドプレート１０が、スライドプレート用スプリング１１（図６では省略、図３参照）の復元力によりスライダ１２の牽引軌跡内に侵入して係止され、スライダ１２の解錠方向への移動が規制される。このとき、スライダ１２の下端部に係合されたボーデンワイヤ３のインナ３Ａが牽引されるので、前輪ホーク７に配設された施錠部２（図１）では、図９の解錠状態から図１０の施錠状態に移行する。
【００１９】
すなわち、図９において、ボーデンワイヤ３のインナ３Ａが牽引されると、インナ３Ａの他端の係合端部３Ｃが係合された円板１５が時計方向に回動し、円板１５に突設されたスライドピン１６が、閂１９と一体のスライド部材１７における受溝１７Ａ内をスライドしつつスライド部材１７を施錠部スプリング１９の復元力に抗して右方へ進出させる。したがって、スライド部材１７と一体の閂１８を施錠位置に進出させ、車輪のスポーク間に侵入した閂１８によって車輪の回転が阻止されて施錠が完了する。
【００２０】
図７は解錠途中の操作部の断面図である。図４（Ａ）および図５（Ａ）の施錠状態において、キーシリンダ８にキー５を差し込んで解錠方向（時計方向）に回動させると、図３および図６に示した円板状のリンクプレート９が回動し、該リンクプレート９の端面に突設されたピン９Ａがスライドプレート１０を、前記スライドプレート用スプリング１１の復元力に抗して退避位置に後退させる。これによって、スライドプレート１０の規制から開放されたスライダ１２は、スライダ用スプリング１３の復元力により牽引が開放されて解錠位置（下方）に向かう。このとき、施錠部２では、閂１８に巻き付けられている施錠部スプリング１９の復元力により、閂１８を施錠位置から後退（図面左方に）させつつ、スライド部材１７を介して円板１５を反時計方向に回動させ、ボーデンワイヤ３のインナ３Ａを解錠方向に牽引する。この動作は、前記操作部１におけるスライダ用スプリング１３の復元力によるスライダ１２の下方への解錠動作と協動するものである。この解錠途中の状態が図７である。
【００２１】
前記スライドプレート１０がスライダ１２に対して横方向から係脱するように構成して、スライドプレート１０が、スライダ１２が解錠位置に戻ろうとする力の影響を受けにくくし、スライダ１２の施錠位置の保持機能を高くするとともに、軽微な力でスライダ１２ひいてはボーデンワイヤを含む錠装置の施錠位置の保持および解錠動作が行えるようにしているが、好適には、スライドプレート１０がスライダ１２に対して略直交して係脱するように構成される。これにより、スライダ１２の施錠位置の保持機能がさらに高くなる。また、図７に示すように、前記スライダ１２における解錠完了位置近傍の側面に、前記スライドプレート１０の付勢力によりスライダ１２を解錠完了方向に強制移動させる傾斜面が形成される。好適には、図示のように、スライダ１２の側面に傾斜面１２Ａを形成するとともに、スライドプレート１０の先端部にも傾斜面１２Ａに対応させて傾斜面１０Ａが形成されるが、スライドプレート１０の先端部には傾斜面が形成されなくてもよい。
【００２２】
このような構成によって、図７の解錠途中において、スライダ用スプリング１３の復元力によるスライダ１２の解錠方向への付勢力と、施錠部２における施錠部スプリング１９の復元力によるボーデンワイヤ３のインナ３Ａの解錠方向への牽引付勢力と、前記スライドプレート用スプリング１１の復元力により付勢されたスライドプレート１０とスライダ１２における傾斜面１２Ａにおけるカム作用により生じた力の３つの力により、スライダ１２が解錠完了方向に強制移動される。解錠が完了した状態が図８である。このように、各リターンスプリングの復元力がスライダ１２の解錠完了位置近傍で僅かになっても、スライドプレート１２の付勢力によりスライダ１２を解錠完了方向に強制移動することが可能となる。解錠完了直前に、スライダ１２が解錠完了方向に強制移動される力が作用することにより、前記３つのリターンスプリングのばね力は小さくて済み、スライダ１２の施錠方向への牽引力も小さくて済むので、軽快な操作が可能となる上、施錠および解錠位置への各部材の衝撃も小さくて済み、損傷を与えることがない。かくして、解錠完了時に、図４（Ｂ）や図５（Ｂ）に示すように、操作摘み４における保持突起４Ｃがガイド部１Ｃにおける解錠保持溝１Ｄ内に確実に落下保持されて、解錠位置が有効に保持される。これにより、走行中等に妄りに閂が施錠位置に進出することを防止できる。
【００２３】
以上、本発明の実施例について説明してきたが、本発明の趣旨の範囲内で、操作部が配設される部位（荷籠ブラケットの他、ハンドルポストやハンドルバー等に配設されてもよい）、施錠ブラケットが配設される部位（好適には操作部に近い前ホーク部であるが、後ホーク部あるいはチェーンステー等に配設されてもよい）、ケーシングおよび裏板の取付け形態を含む操作部の形状、ガイド部における解錠保持溝への保持突起の係止形態等を含む操作摘みの配設形態（例えば、実施例のように外筒部のケーシング表面に対する上下動により保持突起を解錠保持溝に脱着するものの他、操作摘みの外筒部がケーシング表面と平行な面で拡縮することで保持突起を解錠保持溝に脱着するような構成としてもよい）、強制解錠のための傾斜面の形状を含むスライダの形状、およびそのボーデンワイヤのインナとの係合形態ならびにリターンスプリングによる付勢形態（実施例のようにコイルばねにより直線的に復元力を及ぼすものに限定されずに、ボーデンワイヤのインナを直線的に復元させるなら、板ばね等も採用され得る）等については適宜選定できる。
【００２４】
また、スライドプレートのスライダに対する配置形態（好適には、略直交して係脱するように構成されるが、傾斜して配設することを妨げるものではない。また、スライダにおける傾斜面に対して、これに整合させてスライドプレート先端に傾斜面を形成するのが好適であるが、スライダを強制解錠できるなら傾斜面を形成しなくてもよい）、スライドプレートのキーシリンダによるリンクプレート等を介した連動形態（円板状のリンクプレートを用いることなく、ラックとピニオン等を用いてもよい）およびそのリターンスプリングによる付勢形態（実施例のようにコイルばねにより直線的に復元力を及ぼすものに限定されずに、ボーデンワイヤのインナを直線的に復元させるなら、板ばね等も採用され得る）、施錠部における閂の形状、形式およびリターンスプリングによる付勢形態（実施例のようにコイルばねを閂に巻き付けたものの他、板ばね等も採用され得る）、ボーデンワイヤのインナの牽引による閂との連動形態（実施例のもののように、円板とスライド部材とを介したものの他、ラックとピニオンを用いてもよい）等についても適宜選定できる。
【図面の簡単な説明】
【００２５】
【図１】本発明の遠隔操作錠装置の１つの実施例を示すもので、本発明の遠隔操作錠装置を取り付けた自転車の前輪後部斜視図である。
【図２】同、その前部斜視図である。
【図３】同、操作部の分解斜視図である。
【図４】同、施錠および解錠状態の操作部の外観図である。
【図５】同、その一部切除外観図である。
【図６】同、施錠時の操作部の断面図である。
【図７】同、解錠途中の操作部の断面図である。
【図８】同、解錠時の操作部の断面図である。
【図９】同、解錠時の施錠部の断面図である。
【図１０】同、施錠時の施錠部の断面図である。
【図１１】従来の自転車の遠隔施錠装置の説明図である。
【符号の説明】
【００２６】
１      操作部
２      施錠部
３      接続部材（ボーデンワイヤ等）
４      操作摘み
５      キー
６      荷籠ブラケット
７      前ホーク
８      鍵機構（キーシリンダ等）
【図１】
2007009615.tif 000003
【図２】
2007009615.tif 000004
【図３】
2007009615.tif 000005
【図４】
2007009615.tif 000006
【図５】
2007009615.tif 000007
【図６】
2007009615.tif 000008
【図７】
2007009615.tif 000009
【図８】
2007009615.tif 000010
【図９】
2007009615.tif 000011
【図１０】
2007009615.tif 000012
【図１１】
2007009615.tif 000013